(57)【要約】【課題】  情報処理装置における多様なデータの全てから容易にキーワード検索して検索結果テーブルを作成する。【解決手段】  情報処理端末(1)におけるキーワード検索に基づく検索結果テーブル(2-7)の作成方法であって、前記情報処理端末で管理される複数のデータベース(2-1)〜(2-5)の複数のデータファイルに含まれるキーワード検索を実行するステップと、前記検索結果に基づいて、キーワード毎に対応するデータファイルの検索結果テーブルを作成するステップとを含む検索結果テーブルの作成方法。【選択図】  図４
2009134388.tif 000002
【特許請求の範囲】
【請求項１】
情報処理端末におけるキーワード検索に基づく検索結果テーブルの作成方法であって、
前記情報処理端末で管理される複数のデータベースの複数のデータファイルに含まれるキーワード検索を実行するステップと、
前記検索結果に基づいて、キーワード毎に対応するデータファイルの検索結果テーブルを作成するステップと、
を含むことを特徴とする検索結果テーブルの作成方法。
【請求項２】
前記キーワード検索は、前記情報処理端末の待機中に実行されることを特徴とする請求項１に記載の検索結果テーブルの作成方法。
【請求項３】
前記情報処理端末で管理される複数のデータベースには、メールの送受信データ、データフォルダ、アドレス帳、スケジュール及びブックマークデータの内の少なくとも１つが含まれることを特徴とする請求項１又は２に記載の検索結果テーブルの作成方法。
【請求項４】
前記キーワードには、少なくとも人名が含まれることを特徴とする請求項３に記載の検索結果テーブルの作成方法。
【請求項５】
前記キーワードである人名は、前記メールの送受信データ、データフォルダ、アドレス帳、スケジュール及びブックマークデータの中から抽出することを特徴とする請求項４に記載の検索結果テーブルの作成方法。
【請求項６】
情報処理端末で管理される複数のデータベースの複数のデータファイルに含まれるキーワード検索結果によって作成された、キーワード毎に対応する検索結果テーブルに基づいてデータファイルを削除するデータファイルの削除方法であって、
前記情報処理端末の記憶部の残量を検出する記憶部残量検出ステップと、
前記記憶部残量検出ステップの判断で、記憶部残量が所定値以下の場合に、
前記検索結果テーブルから、前記キーワードの使用頻度に基づいて削除候補データファイルを提示するステップと、
前記提示された削除候補データファイルをユーザーの指示によって削除するステップと、
を含むことを特徴とするデータファイルの削除方法。
【請求項７】
情報処理端末で管理される複数のデータベースの複数のデータファイルに含まれるキーワードの検索によって作成された、キーワード毎に対応する検索結果テーブルに基づいて特定のデータファイルへのアクセスを禁止するデータファイルへのアクセス禁止方法であって、
アクセス禁止キーワードを設定するステップと、
データファイルのアクセスに対して、当該データファイルに含まれる前記アクセス禁止キーワードの有無を検索する検索ステップと、
前記検索ステップで、アクセス禁止キーワードが含まれないと判断されたデータファイルへのアクセスを実行するステップと、
を含むことを特徴とするデータファイルへのアクセス禁止方法。
【請求項８】
前記アクセス禁止キーワードは、特定の人名であって、当該人名を含むデータファイルへのアクセスを禁止することを特徴とする請求項７に記載のデータファイルへのアクセス禁止方法。
【請求項９】
それぞれ複数のデータファイルを含む複数のデータベース格納する記憶部と、
前記複数のデータファイルに含まれるキーワードを登録するキーワード登録部と、
処理部とを備える情報処理端末であって、
前記処理部は、当該情報処理端末の待ち受け時に、前記データファイルに対して前記キーワードの検索を実行して、検索結果テーブルを作成することを特徴とする情報処理端末。
【請求項１０】
前記処理部によって、当該情報処理端末で管理される複数のデータベースである、メールの送受信データ、データフォルダ、アドレス帳、スケジュール及びブックマークデータの内の少なくとも１つから、自動的にキーワードを切出してユーザーの指示に応じて、前記キーワード登録部に登録されることを特徴とする請求項９に記載の情報処理端末。
【請求項１１】
前記情報処理端末には、更に、
当該情報処理端末の記憶部の残量を検出する記憶部残量検出部を備え、
前記検索結果テーブルに基づいて、使用頻度の低いキーワードを含むデータファイル削除候補データファイルとして提示する削除候補データファイル提示部と、
を備え、
記憶部残量が所定値以下の場合に、前記キーワードの使用頻度に基づいて、削除候補データファイルとして提示して、ユーザーが指示したデータファイルを削除することを特徴とする請求項１０に記載の情報処理端末。
【請求項１２】
前記キーワード記憶部には、更に、アクセス禁止キーワードの設定部を含み、
アクセスされたデータファイルにアクセス禁止キーワードが含まれないと判断された場合にのみ当該データファイルへのアクセスを許可することを特徴とする請求項１１に記載の情報処理端末。
【請求項１３】
上記情報処理端末は、基地局との通信で待ち受けの時間が所定時間毎に存在することを特徴とする請求項１２に記載の携帯端末。
【発明の詳細な説明】
【技術分野】
【０００１】
本発明は、携帯端末等の情報処理装置の記憶部に格納されて管理される複数のデータベースに含まれる複数のデータファイルに含まれるキーワード検索を実行して、キーワード毎に対応する検索結果テーブルを作成すると共に、作成された検索結果テーブル中の特定のデータファイルの削除及びアクセスを禁止することが可能な情報処理装置（携帯端末）に関する。
【背景技術】
【０００２】
携帯端末等の情報処理端末の記憶部に格納された複数のデータファイルに対してキーワード検索を効率良く実行するものとしては、以下のデータ検索装置が知られている。（特許文献１参照）
「外部から検索条件を含む検索命令を受信し、前記検索条件に基づいてデータを検索し、当該検索結果を外部に送信するデータ検索装置において、
検索対象の複数のデータがレコード番号に対応して格納されているデータ格納手段と、
前記検索条件に一致したデータ格納手段に格納されたデータの全てのレコード番号を、検索一致レコード番号として保持する検索一致レコード保持手段と、
前記検索条件に一致した全てのデータのうち検索結果として送信する一つのデータを特定するレコード番号を、カレントレコード番号として保持するカレントレコード保持手段と、
前記検索条件に一致した全てのデータのうち、検索結果として未送信のデータの数を、残りデータ数として保持する残りデータ数保持手段と、
レコード番号を入力し、前記データ格納手段を参照して当該レコード番号のデータを出力するデータ参照手段と、
検索条件を入力し、当該検索条件と前記データ格納手段に格納されたデータとを比較し、検索条件に一致するデータの全ての検索一致レコード番号を出力するデータ検索手段と、
前記検索一致レコード番号と検索結果として送信済みのデータのカレントレコード番号とを入力し、検索結果として送信する新たなカレントレコード番号及び残りデータ数を計算して出力するカレントレコード計算手段と、
検索命令と当該検索命令を受信して検索結果の一つのデータを送信した後に次のデータを送信するための次候補出力命令とを受信する命令受信部、
前記検索命令を受信した場合に、当該検索命令に含まれる検索条件を前記データ検索手段に出力し、当該データ検索手段から検索一致レコード番号を入力し、当該検索一致レコード番号を検索一致レコード保持手段に保持させる検索制御部、
前記検索一致レコード番号と検索結果として送信済みのデータのカレントレコード番号とをカレントレコード計算手段に出力し、新たなカレントレコード番号及び残りデータ数を入力して特定し、当該新たなカレントレコード番号及び残りデータ数をカレントレコード保持手段及び残りデータ数保持手段にそれぞれ保持させる出力データ特定部、
及び、前記検索命令または次候補出力命令を受信した場合に、出力データ特定部により特定されたカレントレコード番号をデータ参照手段に出力し、当該データ参照手段からカレントレコード番号のデータを入力し、当該データと前記出力データ特定部により特定された残りデータ数とを検索結果として送信する検索結果送信部を有するファイル制御手段と、を備えたことを特徴とするデータ検索装置。」（請求項１）
【特許文献１】特開２００５−１６５９６０号公報
【発明の開示】
【発明が解決しようとする課題】
【０００３】
従来の携帯端末等の情報処理装置では、多様なデータ（例えば、「メールの送受信データ」「データフォルダ」「アドレス帳」「スケージュール」「ブックマークデータ」等）全てからキーワード検索をするのは容易ではなかった。
また、携帯端末等の情報処理装置では、高速の演算処理装置を搭載していない場合も多くキーワード検索に多くの時間を要して、携帯端末等の情報処理装置本来の用途に制限が生じることがあった。
また、携帯端末等の情報処理装置では、大容量の記憶装置を搭載していない場合も多く、前記「メールの送受信データ」「データフォルダ」「アドレス帳」「スケージュール」「ブックマークデータ」等の新たなデータファイルの格納の余地が小さくなった際のデータファイルの削除が容易ではなかった。
また、携帯端末等の情報処理装置では、前記「メールの送受信データ」「データフォルダ」「アドレス帳」「スケージュール」「ブックマークデータ」等のデータファイルの内で他人に閲覧されるのを防止するための設定が容易ではなかった。
【０００４】
本発明の課題（目的）は、携帯端末等の情報処理装置における多様なデータ（例えば、「メールの送受信データ」「データフォルダ」「アドレス帳」「スケージュール」「ブックマークデータ」等）全てから容易にキーワード検索をすることが可能なデータ検索装置（方法）を実現することにある。
また、前記情報処理装置として、高速の演算処理装置を搭載していない場合も適用が可能なデータ検索装置（方法）を実現することにある。
また、前記情報処理装置として、大容量の記憶装置を搭載していない場合にも、適用が可能なデータ検索装置（方法）を実現することにある。
また、前記情報処理装置において、「メールの送受信データ」「データフォルダ」「アドレス帳」「スケージュール」「ブックマークデータ」等のデータファイルの内で他人に閲覧されるのを防止できるデータ検索装置（方法）を実現することにある。
【課題を解決するための手段】
【０００５】
上記課題を解決することのできる本発明は、情報処理端末におけるキーワード検索に基づく検索結果テーブルの作成方法であって、前記情報処理端末で管理される複数のデータベースの複数のデータファイルに含まれるキーワード検索を実行するステップと、前記検索結果に基づいて、キーワード毎に対応するデータファイルの検索結果テーブルを作成するステップとを含むことを特徴とする。
【０００６】
また、情報処理端末で管理される複数のデータベースの複数のデータファイルに含まれるキーワード検索結果によって作成された、キーワード毎に対応する検索結果テーブルに基づいてデータファイルを削除するデータファイルの削除方法であって、前記情報処理端末の記憶部の残量を検出する記憶部残量検出ステップと、前記記憶部残量検出ステップの判断で、記憶部残量が所定値以下の場合に、前記検索結果テーブルから、前記キーワードの使用頻度に基づいて削除候補データファイルを提示するステップと、前記提示された削除候補データファイルをユーザーの指示によって削除するステップとを含むことを特徴とする。
【０００７】
また、情報処理端末で管理される複数のデータベースの複数のデータファイルに含まれるキーワードの検索によって作成された、キーワード毎に対応する検索結果テーブルに基づいて特定のデータファイルへのアクセスを禁止するデータファイルへのアクセス禁止方法であって、アクセス禁止キーワードを設定するステップと、データファイルのアクセスに対して、当該データファイルに含まれる前記アクセス禁止キーワードの有無を検索する検索ステップと、前記検索ステップで、アクセス禁止キーワードが含まれないと判断されたデータファイルへのアクセスを実行するステップとを含むことを特徴とする。
【０００８】
また、それぞれ複数のデータファイルを含む複数のデータベース格納する記憶部と、前記複数のデータファイルに含まれるキーワードを登録するキーワード登録部と、処理部とを備える情報処理端末であって、前記処理部は、当該情報処理端末の待ち受け時に、前記データファイルに対して前記キーワードの検索を実行して、検索結果テーブルを作成することを特徴とする。
【０００９】
また、前記情報処理端末には、更に、当該情報処理端末の記憶部の残量を検出する記憶部残量検出部を備え、前記検索結果テーブルに基づいて、使用頻度の低いキーワードを含むデータファイル削除候補データファイルとして提示する削除候補データファイル提示部とを備え、記憶部残量が所定値以下の場合に、前記キーワードの使用頻度に基づいて、削除候補データファイルとして提示して、ユーザーが指示したデータファイルを削除することを特徴とする。
【００１０】
また、前記キーワード記憶部には、更に、アクセス禁止キーワードの設定部を含み、アクセスされたデータファイルにアクセス禁止キーワードが含まれないと判断された場合にのみ当該データファイルへのアクセスを許可することを特徴とする。
【発明の効果】
【００１１】
本発明によれば、携帯端末等の情報処理装置における多様なデータ（例えば、「メールの送受信データ」「データフォルダ」「アドレス帳」「スケージュール」「ブックマークデータ」等）全てから容易にキーワード検索をすることが可能になる。
また、前記情報処理装置として、高速の演算処理装置を搭載していない場合も適用が可能なデータ検索装置（方法）を実現できる。
また、前記情報処理装置として、大容量の記憶装置を搭載していない場合にも、適用が可能なデータ検索装置（方法）を実現できる。
また、前記情報処理装置において、「メールの送受信データ」「データフォルダ」「アドレス帳」「スケージュール」「ブックマークデータ」等のデータファイルの内で他人に閲覧されるのを簡単な構成で防止できる。
【発明を実施するための最良の形態】
【００１２】
本発明の情報処理端末のハードウエア構成について、図７を用いて説明する。
図７において、１は携帯端末等の情報処理装置であって、当該情報処理装置には、記憶部２、処理部（CPU）３，記憶部残量検出部４、キーワード検索部５、表示部６、待ち受け時検出部７、削除候補データファイル提示部８及びアクセス禁止キーワード設定部９が含まれる。
また、前記記憶部２には、例えば、メール送受信データ2-1、データフォルダ2-2、アドレス帳2-3、スケジュール2-4、ブックマークデータ2-5等の複数のデータベースが格納されている。
そして、前記複数のデータベース2-1〜2-5には、それぞれ複数のデータファイルが格納されている。
なお、図７には示されてはが、本発明に係る機能の他の情報処理装置（例えば携帯端末）としての通常の機能を奏するための構成も存在することは明らかである。
【００１３】
次に、図１〜６を用いて、情報処理装置として携帯端末（携帯電話，ＰＨＳ等で、基地局との通信で待ち受け（待機中）の時間が所定時間毎に存在するもの）の場合を例として、前記携帯端末の記憶部に格納された「メールの送受信データ」「データフォルダ」「アドレス帳」「スケージュール」「ブックマークデータ」等のデータファイルの各データファイルに対してキーワード検索を実行する例について説明する。
【００１４】
なお、携帯端末でキーワード検索を実行するには、予め検索すべきキーワードが携帯端末の記憶部のキーワード登録部に登録（キーワードリストの１例を図１に示す）されていることが必要である。
キーワードの登録としては、ユーザーがＦＥＰによりキーワードとして「人名」を個別に入力して登録するか、当該携帯端末の記憶部に既に格納されている前記アドレス帳の属性、グループ欄等に含まれる「氏名」「仮名」「ニックネーム」「誕生日」「メールアドレス」「電話番号」等の各欄から自動的にキーワードを切出して登録することができる。
【００１５】
図２を用いて、ユーザーが検索に用いるキーワードの設定（登録）の手順を説明する。
・ユーザーは当該携帯端末の記憶部に格納された「メールの送受信データ」「データフォルダ」「アドレス帳」「スケージュール」「ブックマークデータ」等のデータファイルの各データファイルに対してキーワード検索を実行するための検索対象にしたいキーワードを入力する。（ステップS1）
・携帯端末の処理部（CPU）は、入力されたキーワードが既にキーワード登録部に登録されているか否かの判断をして、登録されていないと判断した場合には、入力されたキーワードをキーワードリストとしてキーワード登録部に登録する。（ステップS2）
【００１６】
次に、図３のフローチャートを用いて、アドレス帳の属性、グループ欄等に含まれる「氏名」「仮名」「ニックネーム」「誕生日」「メールアドレス」「電話番号」等の各欄から自動的にキーワードを切出して登録する例について説明する。
・当該携帯端末の記憶部に格納されたアドレス帳を検索してキーワードを切出して、キーワード記憶部に登録（設定）する処理を実行するか否かの判断をする。（ステップS11）
なお、このキーワードの切出しをするか否かはユーザーが予め選択する。
また、このキーワードの切出しの対象となるデータファイルは、上記アドレス帳のみに限らず、当該携帯端末の記憶部に格納された「メールの送受信データ」「データフォルダ」「アドレス帳」「スケージュール」「ブックマークデータ」等の任意のデータファイルに適用可能である。
・ステップS11の判断が、YESの場合、
キーワード切出しを実行するアドレス帳の内のデータの範囲をユーザーが選択した、「全選択」「グループ選択」「個別選択」より選択する。（ステップS12）
・アドレス帳より切出すキーワードの範囲として、ユーザーが選択した、「氏名」「仮名」「ニックネーム」「誕生日」「メールアドレス」「電話番号」等のアドレス帳の属するグループ，属性等から選択する。（ステップS13）
・選択されたデータファイル（この場合は、アドレス帳）中の選択された範囲のデータからステップS13で選択された属性のキーワードを切出して、キーワード候補リストを作成して表示する。（ステップS14）
・表示されたキーワード候補リストからユーザーがキーワードとして登録（保存）するか否かの選択をする。（ステップS15）
・ステップS15でユーザーが登録（保存）することを選択した場合には、選択したキーワードを図１のキーワードリストとしてキーワード登録部に登録（保存）する。（ステップS16）
【００１７】
なお、キーワードの登録として上記説明では、「人名」を例としているが、登録されるキーワードは必ずしも「人名」である必要はなく、人名以外のどのような「用語」でも良い。
【００１８】
次に、図４のフローチャートを用いて、携帯端末でキーワード検索を実行して検索結果テーブルを作成する手順を説明する。
・携帯端末の待ち受け（待機中）時間中又はユーザーによるキーワード検索開始の指示に応じてキーワード検索の開始となる。（ステップS21）
本発明のキーワード検索は、特別なケースであるユーザーによる検索の開始指示以外は、携帯端末内のデータファイルに対するキーワード検索は、当該携帯端末の待ち受け（待機中）に実行される。
・当該携帯端末の記憶部のキーワード登録部にキーワードが登録されているか否かを判断する。また、当該携帯端末で、「キーワード検索機能」を有効にするか否かの判断をする。（ステップS22）
・上記ステップS22の判断が、両方ともYESの場合、には、待ち受け（待機中）を終了するか、または、キーワード検索が完了または中断するまで、登録されているキーワードの全てについて、順次検索する。（ステップS23）
・前記ステップS23の検索結果に基づいて、キーワード毎に分類された前記「メールの送受信データ」「データフォルダ」「アドレス帳」「スケージュール」「ブックマークデータ」等のに含まれるデータファイルとキーワードとが対応する前記検索結果テーブルを作成（更新）する。（ステップS24）
・上記ステップS23，S24を待ち受け（待機中）を終了するか、または、キーワード検索が完了または中断するまで、繰り返す。（ステップS25）
【００１９】
携帯端末等では記憶部の容量（ユーザーエリア）が大きくないので、ある程度のデータファイルが格納（保存）されて、新たなデータファイルの格納（保存）のためのユーザーエリアの残量が一定値を下回った場合に、格納（保存）されたデータファイルの一部を削除する必要が生じる。
このデータファイルの削除に際して、使用頻度の低いキーワードを含むデータファイルを削除対象候補データファイルとして表示し、ユーザーが指示したデータファイルの削除を実行する。
次に、携帯端末の記憶部に格納されたデータファイルの削除について、図５にフローチャートを用いて説明する。
【００２０】
・待ち受け（待機中）等のデータファイルが追加される際にこの処理は開始される。
・携帯端末に「使用頻度が低いキーワードを含むデータファイルの削除」がユーザーによって設定されていて有効か否かの判断をする。（ステップS31）
・ステップS31の判断がYESの場合、新たなデータファイルを格納するためのユーザーエリアの残量が一定値を下回っているか否かの判断をする。（ステップS32）
・ステップS32の判断がYESの場合、
前記検索結果テーブルにアクセスして、使用頻度の低いキーワードを含むデータファイルを削除対象候補データファイルとして、ユーザーに提示する。（ステップS33）
・ステップS33で提示された削除対象候補データファイルの内からユーザーが削除するデータファイルを選択する。（ステップS34）
・ステップS34で選択されたデータファイルの削除を実行する。（ステップS35）
上述の如く、携帯端末等の新たなデータファイルを格納するためのユーザーエリアの残量が一定値を下回った際に、使用頻度の低いキーワードを含むデータファイルを削除候補対象としてユーザーに提示して、ユーザーの選択によって、当該データファイルを削除するので、ユーザーエリアを有効に使用することが可能になる。
【００２１】
次に、携帯端末等において、「メールの送受信データ」「データフォルダ」「アドレス帳」「スケージュール」「ブックマークデータ」等のデータファイルは、当該携帯端末を机上等に放置した際に、他人が操作して格納されたデータファイルにアクセスすることを防止するためには、データファイル毎にユーザーがアクセスを禁止するための処理が必要であった。
以下、図６を用いて、簡単な操作で、携帯端末に格納された「メールの送受信データ」「データフォルダ」「アドレス帳」「スケージュール」「ブックマークデータ」等のデータファイルの内で他人にアクセスされるのを防止する手順について説明する。
【００２２】
・携帯端末に対する操作によって、当該携帯端末に格納（保存）されたデータファイルに対するアクセスが発生した際に、当該携帯端末に他人にアクセスさせたくないデータファイルがユーザーによって設定（登録）されているか否かの判断をする。（ステップS41）
・ステップS41の判断がYESの場合、
アクセスされたデータファイルが、ユーザーによって設定されたアクセス禁止キーワードを含む可否かの判断をする。（ステップS42）
・ステップS41の判断がNOの場合（ユーザーによるアクセス禁止の設定がない場合）、又は、ステップS42の判断がNOの場合（アクセスされたデータファイルがアクセス禁止キーワードを含まない場合）、当該データファイルへのアクセス許可する。（ステップS43）
【００２３】
上述の如く、特定の人名等のアクセス禁止キーワードをユーザーが予め設定しておくことによって、個々のデータファイルに対して閲覧禁止のための特別の処理をすることなく、簡単な構成でアクセス禁止データファイルへのアクセスを禁止することが可能になる。
【図面の簡単な説明】
【００２４】
【図１】本発明のキーワード登録部に登録されたキーワードリストの１例を示す図である。
【図２】ユーザーが検索に用いるキーワードの設定（登録）するの手順を示すフローチャートである。
【図３】アドレス帳の属性、グループ欄等に含まれる「氏名」「仮名」「ニックネーム」「誕生日」「メールアドレス」「電話番号」等の欄等から自動的にキーワードを切出して登録する例の手順を説明するフローチャートである。
【図４】携帯端末でキーワード検索を実行して検索結果テーブルを作成する手順を説明するフローチャートである。
【図５】携帯端末の記憶部に格納されたデータファイルの削除の手順を説明するフローチャートである。
【図６】携帯端末に格納されたデータファイルの内で他人にアクセスされるのを防止する手順を説明するフローチャートである。
【図７】本発明の情報処理端末のハードウエア構成を示す図である。
【符号の説明】
【００２５】
１：情報処理装置（携帯端末）
２：記憶部
2-1：メール送受信データ
2-2：データフォルダ
2-3：アドレス帳
2-4：スケジュール
2-5：ブックマークデータ
2-6：キーワード登録部
2-7：検索結果テーブル
３：処理部（CPU）
４：記憶部残量検出部
５：キーワード検索部
６：表示部
７：待ち受け時検出部
８：削除候補データファイル提示部
９：アクセス禁止キーワード設定部
【図１】
2009134388.tif 000003
【図２】
2009134388.tif 000004
【図３】
2009134388.tif 000005
【図４】
2009134388.tif 000006
【図５】
2009134388.tif 000007
【図６】
2009134388.tif 000008
【図７】
2009134388.tif 000009